(57)【要約】      （修正有）【課題】検出安定性が比較的優れた積分球検出装置を提供する。【解決手段】積分球検出装置であって、ケーシングと、前記ケーシング内に設けられたインナーチャンバ２と、前記ケーシング上に設けられた光源３並びに光センサ４とを備え、前記インナーチャンバ２には、球形の検出キャビティ２０と、光源３の出射光線を前記検出キャビティ２０に入り込ませる入射口２１と、出射光線を被検出膜に照射させる出射口２２と、検出キャビティで拡散反射された光を光センサに照射させる検出口２３とが設けられ、積分球検出装置は、出射光線が被検出膜６を介して光センサ４に直接反射されることを防止するための遮光板５をさらに備え、遮光板５は、前記検出キャビティ内に設けられるとともに出射口２２と前記検出口２３との間に位置する。【選択図】図２
0003235429.tif 000002
【実用新案登録請求の範囲】
【請求項１】
ケーシングと、前記ケーシング内に設けられたインナーチャンバと、前記ケーシング上に設けられた光源並びに光センサとを備え、前記インナーチャンバには、球形の検出キャビティと、前記光源の出射光線を前記検出キャビティに入り込ませる入射口と、前記出射光線を被検出膜に照射させる出射口と、前記検出キャビティで拡散反射された光を前記光センサに照射させる検出口とが設けられ、前記出射光線が被検出膜によって前記光センサまで直接反射されることを防止するための遮光板をさらに備え、前記遮光板は、前記検出キャビティ内に設けられるとともに前記出射口と前記検出口との間に位置するとともに、前記検出キャビティの内壁から検出キャビティの径方向に沿って内向きに延び、前記入射口は、前記インナーチャンバの上部に設けられ、前記出射口は、前記インナーチャンバの下部に設けられ、前記検出口は、前記インナーチャンバの側部に設けられ、前記光源は、前記ケーシングの上部に設けられ、前記光センサは、前記インナーチャンバの側方に設けられ、前記ケーシングには、前記入射口と対応付けて連通する第１の取付孔が開口され、前記光源は、前記第１の取付孔内に設けられ、前記第１の取付孔の数と、前記入射口の数は、いずれも複数であり、前記第１の取付孔は、それぞれ１つの前記入射口に対応し、双方が互いに連通し、前記複数の取付孔の孔径は、互いに異なり、検出時には、光源が前記第１の取付孔の一つに設けられ、その他の前記第１の取付孔が詰まりによって密閉され、前記第１の取付孔のいずれか一つの中心線と、前記出射口の中心線との間には、４５度未満の角が形成され、かつ、各前記第１の取付孔の中心線と、前記出射口の中心線とのなす角は等しく、前記ケーシングには、前記検出口に対応付けて連通する第２の取付孔が開口され、前記光センサは、前記第２の取付孔内に設けられるとともに前記検出口に正対し、前記第２の取付孔の数と、前記検出口の数は、いずれも複数であり、前記第２の取付孔は、それぞれ一つの前記検出口に対応し、双方がお互いに連通し、前記第２の取付孔の各々には、それぞれ前記光センサが設けられ、或いは、前記第２の取付孔の一部だけに前記光センサが設けられ、その他の前記第２の取付孔は、レフレクターによって密閉され、各前記検出口と前記出射口との間には、前記遮光板がそれぞれ設けられる、ことを特徴とする積分球検出装置。
【請求項２】
前記第１の取付孔の中心線と、対応する入射口の中心線とが互いに重なりまたは平行する、前記第２の取付孔の中心線と対応する検出口の中心線とが互いに重なりまたは平行する、前記出射口の中心線は、前記検出キャビティの球心を通る、ことを特徴とする請求項１に記載の積分球検出装置。
【請求項３】
ケーシングと、前記ケーシング内に設けられたインナーチャンバと、前記ケーシングに設けられた光源並びに光センサとを備え、前記インナーチャンバには、球形の検出キャビティと、前記光源の出射光線を前記検出キャビティに入り込ませる入射口と、前記出射光線を被検出膜に照射させる出射口と、前記検出キャビティで拡散反射された光を前記光センサに照射させる検出口とが設けられ、前記出射光線が被検出膜によって前記光センサまで直接反射されることを防止するための遮光板をさらに備え、前記遮光板は、前記検出キャビティ内に設けられるとともに前記出射口と前記検出口との間に位置するとともに前記検出キャビティの内壁から検出キャビティの径方向に沿って内向きに延びる、ことを特徴とする積分球検出装置。
【請求項４】
前記遮光板は、前記検出キャビティの内壁から検出キャビティの径方向に沿って内向きに延びる、ことを特徴とする請求項３に記載の積分球検出装置。
【請求項５】
前記ケーシングには、前記入射口と対応付けて連通する第１の取付孔が開口され、前記光源は、前記第１の取付孔内に設けられる、ことを特徴とする請求項３に記載の積分球検出装置。
【請求項６】
前記第１の取付孔の数と、前記入射口の数は、いずれも複数であり、前記第１の取付孔は、それぞれ１つの前記入射口に対応し、双方が互いに連通し、複数の前記取付孔の孔径は、互いに異なり、検出時には、光源が前記第１の取付孔の一つに設けられ、その他の前記第１の取付孔が詰まりによって密閉される、ことを特徴とする請求項５に記載の積分球検出装置。
【請求項７】
前記第１の取付孔のいずれか一つの中心線と、前記出射口の中心線との間には、４５度未満の角が形成され、かつ、各前記第１の取付孔の中心線と、前記出射口の中心線とのなす角は等しいである、ことを特徴とする請求項６に記載の積分球検出装置。
【請求項８】
さ前記ケーシングには、前記検出口に対応付けて連通する第２の取付孔が開口され、前記光センサは、前記第２の取付孔内に設けられるとともに前記検出口に正対する、ことを特徴とする請求項３に記載の積分球検出装置。
【請求項９】
前記第２の取付孔の数と、前記検出口の数は、いずれも複数であり、前記第２の取付孔は、それぞれ一つの前記検出口に対応し、双方がお互いに連通し、前記第２の取付孔の各々には、それぞれ前記光センサが設けられ、或いは、前記第２の取付孔の一部だけに前記光センサが設けられ、その他の前記第２の取付孔は、レフレクターによって密閉される、ことを特徴とする請求項８に記載の積分球検出装置。
【請求項１０】
各前記検出口と前記出射口との間には、前記遮光板がそれぞれ設けられる、ことを特徴とする請求項９に記載の積分球検出装置。
【請求項１１】
前記入射口は、前記インナーチャンバの上部に設けられ、前記出射口は、前記インナーチャンバの下部に設けられ、前記検出口は、前記インナーチャンバの側部に設けられ、前記光源は、前記ケーシングの上部に設けられ、前記光センサは、前記インナーチャンバの側方に設けられる、ことを特徴とする請求項３に記載の積分球検出装置。
【請求項１２】
前記ケーシングは、上蓋と筒体とからなり、前記筒体は、略円柱状であるとともに上端が開放して設けられ、前記筒体には、前記インナーチャンバを収容するための円柱状のキャビティを有し、前記インナーチャンバを筒体に密閉するように、前記上蓋は前記筒体の上端に固着される、ことを特徴とする請求項３に記載の積分球検出装置。
【請求項１３】
前記外側の筒体の底壁には、前記出射口に対応する位置に貫通孔が開口され、前記インナーチャンバの下部には、前記貫通孔内まで延出した一回りのフランジを有し、前記貫通孔の孔壁は、このフランジを囲み、前記フランジの間は、前述出射口となす、ことを特徴とする請求項３に記載の積分球検出装置。
【請求項１４】
前記検出キャビティの内壁には、散乱反射コート層がコーティングされており、前記検出キャビティの内壁の各点における散乱反射は均一である、ことを特徴とする請求項３に記載の積分球検出装置。
【請求項１５】
前記光センサは、光電池であり、前記光電池の検出信号は、リード線を介して、電流増幅器にリアルタイムに伝送される、ことを特徴とする請求項３に記載の積分球検出装置。
【請求項１６】
前記光源は、レーザ光源である、ことを特徴とする請求項３に記載の積分球検出装置。
【請求項１７】
前記ケーシングは、金属または金属合金からなる、ことを特徴とする請求項３に記載の積分球検出装置。
【請求項１８】
前記インナーチャンバは、ポリテトラフルオロエチレンからなる、ことを特徴とする請求項３に記載の積分球検出装置。
【考案の詳細な説明】
【技術分野】
【０００１】
本考案は、分析検出技術分野に属し、積分球検出装置に関し、特に、免疫検出分析計の積分球検出装置に関し、多孔性物質を担体とする免疫検出にとても好適なものである。
【背景技術】
【０００２】
積分球検出装置は、分析計の重要な構成要素の一つであり、固体サンプルのサンプリングに多用されている。積分球によってサンプルを照射し、サンプルに拡散反射された後の光信号を採取する。例えば、中国実用新案登録公告番号ＣＮ２０５９１０１１２Ｕに開示の分光計積分球は、積分球と、光透過スポット列と、サンプルカップと、サンプルカップ回転駆動部材とを含み、前記透光スポット列の長さは、サンプルカップの半径長さ範囲をちょうどカバーする。このような分光計積分球装置では、入射光線が積分球入射窓から入射し、光透過スポット列でサンプルと拡散反射し、試料で反射された光線は出射窓を介して出射され、検出器で受光され、サンプルカップ回転駆動部によってサンプルカップを一周回転させた後、サンプルカップ内の全てのサンプルについてのスペクトル走査を完了できる。しかしながら、このような積分球装置では、一部の入射光線が試料表面によりそのまま反射されて検出器に入り込み、その結果、採取された光線が不均一となり、検出結果が十分に正確にならず、検出が不安定になってしまう。
【考案の概要】
【０００３】
上記問題について、本考案は、検出安定性が比較的優れた積分球検出装置を提供する。
【０００４】
上記目的を達成するために、本考案が採用する技術案は、以下の通りである。
【０００５】
積分球検出装置であって、ケーシングと、前記ケーシング内に設けられたインナーチャンバと、前記ケーシング上に設けられた光源並びに光センサとを備え、前記インナーチャンバには、球形の検出キャビティと、前記光源の出射光線を前記検出キャビティに入り込ませる入射口と、前記出射光線を被検出膜に照射させる出射口と、前記検出キャビティで拡散反射された光を前記光センサに照射させる検出口とが設けられ、前記積分球検出装置は、前記出射光線が被検出膜によって前記光センサまで直接反射されることを防止するための遮光板をさらに備え、前記遮光板は、前記検出キャビティ内に設けられるとともに前記出射口と前記検出口との間に位置する。
【０００６】
さらに、前記遮光板は、前記検出キャビティの内壁から検出キャビティの径方向に沿って内向きに延びる。
【０００７】
さらに、前記ケーシングには、前記入射口と対応付けて連通する第１の取付孔が開口され、前記光源は、前記第１の取付孔内に設けられる。
【０００８】
よりさらに、前記第１の取付孔の数と、前記入射口の数は、いずれも複数であり、前記第１の取付孔は、それぞれ１つの前記入射口に対応し、双方が互いに連通し、前記複数の取付孔の孔径は、互いに異なり、検出時には、光源が前記第１の取付孔の一つに設けられ、その他の前記第１の取付孔が詰まりによって密閉される。
【０００９】
よりさらに、前記第１の取付孔のいずれか一つの中心線と、前記出射口の中心線との間には、４５度未満の角が形成され、かつ、各前記第１の取付孔の中心線と、前記出射口の中心線とのなす角は等しい。
【００１０】
さらに、前記ケーシングには、前記検出口に対応付けて連通する第２の取付孔が開口され、前記光センサは、前記第２の取付孔内に設けられるとともに前記検出口に正対する。
【００１１】
よりさらに、前記第２の取付孔の数と、前記検出口の数は、いずれも複数であり、前記第２の取付孔は、それぞれ一つの前記検出口に対応し、双方がお互いに連通し、前記第２の取付孔の各々には、それぞれ前記光センサが設けられ、或いは、前記第２の取付孔の一部だけに前記光センサが設けられ、その他の前記第２の取付孔は、レフレクターによって密閉される。
【００１２】
よりさらに、各前記検出口と前記出射口との間には、前記遮光板がそれぞれ設けられる。
【００１３】
さらに、前記光センサは、光電池であり、前記光電池の検出信号は、リード線を介して、前記電流増幅器にリアルタイムに伝送される。
【００１４】
さらに、前記入射口は、前記インナーチャンバの上部に設けられ、前記出射口は、前記インナーチャンバの下部に設けられ、前記検出口は、前記インナーチャンバの側部に設けられ、前記光源は、前記ケーシングの上部に設けられ、前記光センサは、前記インナーチャンバの側方に設けられる。
【００１５】
さらに、前記光源は、レーザ光源である。
【００１６】
さらに、前記インナーチャンバは、ポリテトラフルオロエチレンからなる。
【００１７】
本考案は上記方案を採用し、従来と比べると、以下のような利点がある。
【００１８】
遮光板等の設計により、光線が被検出膜により直接に光センサに反射されることを回避し、光センサの検出結果に対するエネルギー準位の大きな直接反射光の影響を低減し、検出結果が正確になり、検出感度が向上し、拡散反射光の僅かな変化も検出できる。光源と光センサは、ケーシングに統合して設けられることで、構造が簡単で装着誤差による検出結果への影響を小さくできる。
【図面の簡単な説明】
【００１９】
本考案の技術案をより明確に説明するために、以下では、実施例の説明に用いる図面を簡単に説明するが、もちろん、以下に説明する図面は、本考案のいくつかの実施例のみであり、当業者にとっては、進歩性のある労力を出さなくてもこれらの図面に基づいて、他の図面を得ることもできる。
【００２０】
【図１】本考案に係る積分球検出装置の概略斜視図である。
【図２】図１の積分球検出装置の鉛直方向に沿った断面図である。
【図３】図１の積分球検出装置の水平方向に沿った断面図である。
【図４】検出キャビティの球面上の任意点Ｂにおける反射光を検出する模式図である。
【考案を実施するための形態】
【００２１】
以下、本考案の利点及び特徴を当業者に理解されやすいように本考案の好ましい実施例を図面に基づいて詳細に説明する。なお、これらの実施形態に対する説明は、本考案を理解するのを助けるためのものであり、本考案を限定するものではない。また、以下に説明する本考案の各実施形態に係る技術的特徴は、互いに衝突することがなければ互いに結合してもよい。
【００２２】
本考案で言及した上、下等の方位語は、当業者の慣常の観察視角に基づいて便宜上定義されたものであり、具体的な方向は限定されない。例えば、図２における紙面の上側、下側にそれぞれ対応する。
【００２３】
本実施例は、本考案による積分球検出装置を提供し、具体的には、免疫検出分析計の積分球検出装置である。図１乃至図３に示すように、この積分球検出装置は、ケーシング１と、ケーシング１内に設けられたインナーチャンバ２と、ケーシング１上に設けられた光源３並びに光センサ４とを備え、インナーチャンバ２には、球形の検出キャビティ２０と、光源３の出射光線を検出キャビティ２０に入り込ませる入射口２１と、出射光線をサンプルに照射させる出射口２２と、検出キャビティ２０で拡散反射された光を光センサ４に照射させる検出口２３とが設けられる。この積分球検出装置は、出射光線がサンプル（被検出膜６）によって光センサ４まで直接反射されることを防止するための遮光板５をさらに備え、遮光板５は、検出キャビティ２０内に設けられるとともに出射口２２と検出口２３との間に位置し、その作用は、主に、光の光センサ４への直接反射を防ぐように光を遮断する。
【００２４】
遮光板５は、検出キャビティ２０の内壁から検出キャビティ２０の径方向に沿って内向きに延びる。好ましくは、遮光板５は、略平板状をなすとともにほぼ球状の検出キャビティ２０の径方向に延びる。光源３は、具体的にはレーザ光源であり、被検出膜６は、具体的には、セルロース膜である。
【００２５】
入射口２１は、インナーチャンバ２の上部に設けられ、出射口は２２、インナーチャンバ２の下部に設けられ、検出口２３は、インナーチャンバ２の側部に設けられ、光源３は、ケーシング１の上部に設けられ、光センサ４は、インナーチャンバ２の側方に設けられる。具体的には、本実施例では、ケーシング１は、上蓋１１と筒体１２とからなり、筒体１２は、略円柱状であるとともに上端が開放して設けられ、筒体１２には、インナーチャンバ２を収容するための円柱状のキャビティを有し、インナーチャンバ２を筒体１２に密閉するように、上蓋１１は筒体１２の上端に固着される。ケーシング１は、アルミニウム等の金属または金属合金からなり、インナーチャンバ２は、ポリテトラフルオロエチレン（Ｆ４）により一体成形される。
【００２６】
ケーシング１の上蓋１１には、入射口２１に対応付けて連通する第１の取付孔１１０が開口され、光源３は、第１の取付孔１１０内に設けられるとともに入射口２１に正対する。好ましくは、第１の取付孔１１０の数と、入射口２１の数は、いずれも複数であり、第１の取付孔１１０は、それぞれ１つの入射口２１に対応し、双方が互いに連通し、複数の第１の取付孔１１０の孔径は、互いに異なり、検出時には、光源３が第１の取付孔１１０の一つに設けられ、その他の第１の取付孔１１０が詰まりによって密閉される。
【００２７】
ケーシング１の筒体１２の側壁には、検出口２３に対応付けて連通する第２の取付孔１２０が開口され、光センサ４は、第２の取付孔１２０内に設けられるとともに検出口２３に正対する。好ましくは、第２の取付孔１２０の数と、検出口２３の数は、いずれも複数であり、第２の取付孔１２０は、それぞれ一つの検出口２３に対応し、双方がお互いに連通し、第２の取付孔１２０の各々には、それぞれ光センサ４が設けられ、或いは、第２の取付孔１２０の一部だけに光センサ４が設けられ、その他の第２の取付孔１２０は、レフレクター７によって密閉される。また、各検出口２３と出射口２２との間には、それぞれ遮光板５が設けられる。光センサ４が第２の取付孔１２０に装着された後、光センサ４をプラテン１３を介して第２の取付孔１２０内に固定する。プラテン１３は、筒体１２の側壁にボルトにより固定的に取り付けられ、プラテン１３には、光センサ４のリード線４１が通る小孔が二つ設けられる。ある第２の取付孔１２０内に光センサ４が装着されていないと、一つのレフレクター７により対応する検出口２３を密閉され、レフレクター７の作用は検出キャビティ２０の内面を補完し、光線を反射することであり、レフレクター７はインナーチャンバ２と同じ材質とする。
【００２８】
外側の筒体１２の底壁には、出射口２２に対応する位置に貫通孔が開口され、インナーチャンバ２の下部には、貫通孔内まで延出した一回りのフランジを有し、貫通孔の孔壁は、このフランジを囲み、フランジの間は、前述した出射口２２とする。
【００２９】
前記光センサ４は、具体的には光電池であり、光電池の検出信号は、リード線４１を介して、電流増幅器にリアルタイムに伝送される。
【００３０】
第１の取付孔１１０のいずれか一つの中心線と、前記出射口２２の中心線との間には、４５度未満の角が形成され、かつ、各第１の取付孔１１０の中心線と、出射口２２の中心線とのなす角はほぼ等しく、好ましくは１０度未満であり、図２では、具体的には８度であり、これにより、全反射光線が光源３へ戻るのを減少でき、レーザ光源の損傷を回避する。具体的には、上記積分球検出装置では、第１の取付孔１１０の中心線と、対応する入射口２１の中心線とが互いに重なり（または平行する）、第２の取付孔１２０の中心線と対応する検出口２３の中心線とが互いに重なり（または平行する）、出射口２２の中心線は、検出キャビティ２０の球心を通ることにより、第１の取付孔１１０のいずれも出射口２２の真上から少し離れた斜め孔である。さらに、第１の取付孔１１０はペアごと設けられ、図１に示す２つの第１の取付孔１１０のように、２つの第１の取付孔１１０が出射口２２に対して略対称に設けられるので、一方の第１の取付孔１１０内のレーザ光源から出射した光束が、出射口２２における被検出膜６で反射された反射光線は、他方の第１の取付孔１１０内に入り込むと、この第１の取付孔１１０（その中に詰まり３１が設けられてブラインド孔となった）によって反射光束が吸収される。一方、直接反射された光線は、検出口２３に入り込まず直接に第１の取付孔１１０に吸収され、もう一方、レーザ光源３から出射された光が直接に光源３まで反射されて光源に損傷をもたらすことを回避する。
【００３１】
図２に示すように、検出時には、光源３が対応仕様の第１の取付孔１１０に取り付けられ、被検出膜６が出射口２２の下方に配置され、光源３の出射光束が被検出膜６に照射され、被検出膜６によって球形の検出チャンバ２０の内壁及び遮光板５まで反射され、球形の検出チャンバ２０及び遮光板５によって複数回反射され、球形の検出チャンバ２０内に均一な拡散反射光線が形成され、拡散反射光線が検出口２３を介して光電池によって採取され、光電池は、採取された拡散反射光線に応じてそれを転換させ、その大きさに応じた電流を生成し、この電流をリーダ線４１を介して電流増幅器に出力し、検出を実現する。この積分球検出装置は、特に、多孔性物質を担体とする免疫検出、例えばセルロース膜に好適なものである。
【００３２】
検出キャビティ２０は、球状の内腔であり、検出キャビティ２０の内壁には、散乱反射コート層がコーティングされており、検出キャビティの内壁の各点における散乱反射は均一である。この散乱反射層の反射率はρであり、検出チャンバ２０の球半径はＲであり、光源全光束はΦである。図４に示すように、光源Ｓは、検出キャビティ２０球面上の任意点Ｂにおける照度Ｅが、散乱反射光の繰り返し照射の合計であり、以下の式（１）で表される。
【００３３】
0003235429.tif 000003
【００３４】
その中、は光源ＳからＢ点に直接照射される照度である。
【００３５】
上記積分球検出装置において、Ｂ点に直接照射される光束を遮光板で遮断すると、E1＝０となり、検出キャビティ２０球面上の任意点Ｂにおける照度Ｅは、以下の式（２）で表される。
【００３６】
0003235429.tif 000004
【００３７】
そこで、本考案の積分球検出装置は、遮光板５及び第１の取付孔１１０の設計によって、被検出膜６に直接反射された光線が検出口２３に入り込むのを阻止し、これにより、上記式（１）におけるE1を０に近似させ、検出口２３を通して光センサ４で検出された光線照Eは、上記式（２）に示すようなものとなり、すなわち、検出口２３に入り込んで光センサ４で検出された光線は、基本的には拡散反射光線である。直接反射された光束と拡散反射された光束は、同一のエネルギー準位内ではなく、前者のエネルギーは後者のエネルギーよりかなり大きいであるため、光センサが検出する光線に被検出膜によって直接反射された部分が含まれると、式（１）において、E1の値は後者よりも大きくなり、よって、拡散反射光線の変化が全体照度Eにほとんど影響を与えず、その検出が困難または不可能である。本考案では、遮光板及び第１の取付孔の設計により、光センサの検出値が拡散反射光線の影響しか受けないから、拡散反射の部分だけが際立し、拡散反射光線の僅かな変化でも光センサによって検出され、検出感度が向上する。
【００３８】
上記積分球検出装置は、以下の特徴を有する。
【００３９】
遮光板５と複数の第１の取付孔１１０との設計により、光線が被検出膜６から直接に光センサ４まで反射されることを回避でき、エネルギー準位の大きな直接反射光線による光センサ４の検出結果の影響を低減し、検出結果が正確になり、検出感度が向上し、拡散反射光線の僅かな変化についても検出可能になる。光源３と光センサ４は、ケーシングの取付孔に統合して設けられることで、構造が簡単で装着誤差による検出結果への影響を小さくできる。複数の入射口２１と、複数の異なる仕様の第１の取付孔１１０とが設けられることで、選定された仕様の光源３を対応する第１の取付孔１１０に取り付けて他の第１の取付孔１１０を密閉すればよく、取扱が便利になる。また、第１の取付孔は斜め孔であることで、出射光線の全反射光が直接に光源まで反射されて光源に損傷をもたらすことを回避する。複数の検出口２３と複数の第２の取付孔１２０とを設けることで、光センサ４を複数設置でき、拡散反射光線が弱い場合においても検出が実現可能である。この積分球検出装置は、特に、多孔性物質を担体とする免疫検出、例えばセルロース膜に好適なものである。
【００４０】
上記実施例は、本考案の技術的思想及び特徴を説明するための好ましい実施例であり、その目的は、この技術を知る者人に本考案の内容を理解させ、それに応じて本考案を実施させることであり、実施例によって本考案の保護範囲を限定することができない。本考案の精神的な旨による等価的な変化や修飾は、いずれも本考案の保護範囲内に属する。
【符号の説明】
【００４１】
１…ケーシング
１１…上蓋
１１０…第１の取付孔
１２…筒体
１２０…第２の取付孔
１３…プラテン
２…インナーチャンバ
２０…検出キャビティ
２１…入射口
２２…出射口
２３…検出口
３…光源
３１…詰まり
４…光センサ
４１…リーダ線
５…遮光板
６…被検出膜
７…レフレクター
【図１】
0003235429.tif 000005
【図２】
0003235429.tif 000006
【図３】
0003235429.tif 000007
【図４】
0003235429.tif 000008